(57)【特許請求の範囲】
【請求項１】
施錠機構(2)を備えた商品展示ケース(1)と、解錠装置(3)とから成る構成において、
前記商品展示ケース(1)は、第１ケース構成体(4)と第２ケース構成体(7)をＸ軸方向に向けて嵌脱自在に嵌合することにより商品収納室(6)を形成すると共に、該商品収納室の内側に防犯タグ(17)の取付部(18)を設けており、
前記施錠機構(2)は、前記Ｘ軸方向に交差するＹ軸方向に臨む施錠部(9)に位置して、第１ケース構成体(4)と第２ケース構成体(7)を嵌合したとき前記Ｙ軸方向に沿って商品展示ケース(1)の外部に向かうＹ１方向と内部に向かうＹ２方向に関して係止する第１施錠手段(10)と第２施錠手段(11)を設けており、
前記第１施錠手段(10)は、第１ケース構成体(4)と第２ケース構成体(7)の相互に、前記Ｙ軸方向に揺動自在かつＹ１方向に付勢された係止手段(10a)と、該係止手段をＹ１方向に対向して係止させる被係止手段(10b)を構成し、前記係止手段(10a)は、前記施錠部(9)の外部からＹ２方向の押圧力を受取ることにより該係止手段(10a)を被係止手段(10b)から離反させる作動部(12)を備えており、
前記第２施錠手段(11)は、第１ケース構成体(4)と第２ケース構成体(7)の相互に、前記Ｙ軸方向に揺動自在かつＹ２方向に付勢された係止手段(11a)と、該係止手段をＹ２方向に対向して係止させる被係止手段(11b)を構成し、前記係止手段(11a)は、前記施錠部(9)の外部から磁石を作用させたとき、該磁石に磁着することにより該係止手段(11a)を被係止手段(11b)から離反させる磁性片(34a)を設けており、
前記解錠装置(3)は、施錠部(9)をＹ軸方向に進退可能として商品展示ケース(1)をスライド自在に載置させるテーブル部(39)と、前記施錠部(9)に対向する解錠部(40)とを備え、該解錠部(40)は、前記第１施錠手段(10)の作動部(12)にＹ２方向の押圧力を与える突片(41)と、前記第２施錠手段(11)の磁性片(34a)をＹ１方向に引き寄せる磁石(42)を設けて成ることを特徴とする商品展示ケースの盗難防止装置。
【請求項２】
商品(M)を載置する底部材(4a)により第１ケース構成体(4)を構成し、前記商品(M)を透視可能に囲繞すると共に下向き開口部(5)を有する収納室(6)を形成したケース本体(7a)により前記第２ケース構成体(7)を構成し、Ｘ軸方向に向けてケース本体(7a)の開口部(5)を底部材(4a)に嵌合させるように構成され、
前記施錠部(9)は、ケース本体(7a)に設けられた内側壁板(13)及び外側壁板(14)と、両壁板(13)(14)の間に形成された嵌入空間(15)と、前記嵌入空間に対してＸ軸方向から嵌脱自在に嵌入されるように底板(4a)に設けられた起立壁板(16)とから構成されており、
前記外側壁板(14)と底板(4a)の相互に、前記第１施錠手段(10)の係止手段(10a)と被係止手段(10b)を設け、
前記内側壁板(13)と起立壁板(16)の相互に、前記第２施錠手段(11)の係止手段(11a)と被係止手段(11b)を設けて成ることを特徴とする請求項１に記載の商品展示ケースの盗難防止装置。
【請求項３】
前記外側壁板(14)をケース本体(7a)に着脱可能に取付け、該外側壁板(14)の内側に防犯タグ(17)の取付部(18)を設けて成ることを特徴とする請求項２に記載の商品展示ケースの盗難防止装置。
【請求項４】
ほぼ直方体形状に形成されたケース本体(7a)の両側壁(7b)(7b)に、前記開口部(5)に隣接して開口する溝(37a)を該両側壁の肉厚内で切欠状に形成し、該溝(37a)に嵌脱自在に嵌入する舌片(37b)を底板(4a)に設けて成ることを特徴とする請求項２又は３に記載の商品展示ケースの盗難防止装置。
【請求項５】
ほぼ直方体形状に形成されたケース本体(7a)の正面壁(14)の外側表面に凹部(23)を形成すると共に、背面壁(7d)の外側表面に凸部(24)を形成し、複数の商品展示ケース(1)(1)を積層したとき、上層に位置する商品展示ケース(1)の凸部(24)が下層に位置する商品展示ケース(1)の凹部(23)に嵌合するように構成して成ることを特徴とする請求項１、２、３又は４に記載の商品展示ケースの盗難防止装置。
【発明の詳細な説明】
【技術分野】
【０００１】
本発明は、店舗において商品を陳列し展示するケースに関して、万引き等による商品の盗難を防止するために施錠ロックできる施錠装置を設けた商品展示ケースと、その施錠ロックを解除する解錠装置を構成した盗難防止装置に関する。
【背景技術】
【０００２】
従来、種々の小売店等においては、展示商品の盗難を防止するため、各商品に防犯タグを貼着している。そこで、防犯タグを貼着したまま商品を店外に持ち出そうとすると、出入口ゲートに設置された検知装置が警報を発し、盗難を防止する。
【０００３】
しかしながら、通常、防犯タグは、粘着剤により商品に貼着されており剥離可能であるから、店外に持ち出す前に商品から剥離して廃棄されてしまうと、盗難防止の効果がない。
【０００４】
このため、例えば、ドラッグストアーで販売される化粧品等のような紙箱等の外装ケースに入れられた商品は、商品を抜き取った空の外装ケースだけを展示しており、これを購入する顧客は、空の外装ケースをレジカウンターに持参し、そこで店員により商品を外装ケースに挿入することが行われている。
【０００５】
しかしながら、顧客としては、空の外装ケースを吟味するだけで商品を購入することには抵抗があり、実際の商品を目視して吟味することを望むのが通例である。
【０００６】
ところで、盗難の問題は、レンタルビデオショップ等においても同様であり、このため、本出願人は、数々のディスク展示ケースを提案した。このようなディスク展示ケースは、施錠装置により開蓋不能にロックされ、顧客がレジカウンターに持参したとき、店員が解錠装置により施錠装置を解除し、開蓋可能状態で顧客に引き渡すものとされている。
【０００７】
しかしながら、ディスク展示ケースの場合、施錠装置は、鍵部材を展示ケースに挿入することにより施錠し、解錠装置により鍵部材を展示ケースから抜き取ることにより解錠する構成のものであるため、抜き取った鍵部材がレジカウンターに山積みとなり、その後の整理と管理を要するという問題がある。
【０００８】
【特許文献１】特開２００７−３３１８４３号公報
【発明の開示】
【発明が解決しようとする課題】
【０００９】
本発明により提供される商品展示ケースは、外装ケースに入れられた商品の場合は、商品を入れた外装ケースを展示ケースに収納し、又は外装ケースから取り出した商品を展示ケースに収納することにより店頭に展示する。或いは、外装ケースを有しない商品の場合は、当該商品を展示ケースに収納することにより店頭に展示する（以下、商品展示ケースに収納される商品を外装ケースの有無に関わらず単に「商品」という）。商品展示ケースは、全体又は一部を透明とされ、外部から商品を肉眼で透視可能とされている。
【００１０】
この際、商品展示ケースは、内部に防犯タグを付設している。従って、顧客を装う不正者が商品展示ケースを店外に持ち出そうとすると、出入口ゲートに設置された検知装置が警報を発し、盗難を防止する。
【００１１】
商品展示ケースは、開閉構造とされ、開蓋することにより商品の出し入れが可能であるが、閉蓋状態では解錠装置を使用しなければ開蓋不能となるように施錠機構により施錠ロックされている。従って、顧客は、商品展示ケースを手にとって商品を透視することにより吟味し、購入を希望する場合はレジカウンターに持参すれば、店員が解錠装置で施錠機構を解錠することにより商品展示ケースを開蓋し、商品を顧客に引き渡す。商品を取り出した後の空の商品展示ケースは、その後、当該店舗において再利用される。
【００１２】
ドラッグストアー等の量販店は、レジカウンターが混雑するのが一般的であり、迅速な解錠と、迅速な商品の引き渡しが必要となる。この点は、本発明が解決しようとする第１の課題である。
【００１３】
また、量販店等においては、商品展示ケースから商品を抜きとろうとして施錠機構のロック解除を試みる悪質な不正者が後を絶たない。このような不正者は、経験豊富なため、簡単な構造の施錠機構は容易に解錠されてしまうので、施錠ロックを複雑に掛ける必要がある。この点は、本発明が解決しようとする第２の課題である。
【課題を解決するための手段】
【００１４】
本発明は、上述したレンタルビデオショップ等で利用されているディスク展示ケースのような鍵部材を設けないことを特徴とする。即ち、鍵部材を設けたディスク展示ケースを本発明のような商品展示ケースに応用すると、解錠装置により施錠ロックの解除を行う動作と、鍵部材を抜き取る動作と、展示ケースを開く動作と、展示ケースから商品を取り出す動作という少なくとも４動作による作業が必要となり、レジカウンターの混雑を解消できない。また、抜き取った鍵部材がレジカウンターに山積みとなる。これに対して、本発明は、解錠装置による施錠ロックの解錠とほぼ同時に商品展示ケースの開蓋が可能であり、しかも、開蓋とほぼ同時に商品を手にとることが可能となる。また、レジカウンターに山積みとされる鍵部材のような部品は存在しない。
【００１５】
更に、本発明は、施錠機構が第１施錠手段と第２施錠手段によるダブルロック機構を構成している。第１施錠手段は、解錠装置の突片によってのみ解錠可能であり、第２施錠手段は、解錠装置の磁石によってのみ解錠可能である。この際、第１施錠手段と第２施錠手段が同時に解錠されなければ商品展示ケースを開蓋できないので、セキュリティ効果が極めて高くなる。そして、このようなダブルロック機構でありながら、解錠装置を使用することにより、ワンタッチによる解錠を可能とする。
【００１６】
そこで、本発明が手段として構成したところは、施錠機構を備えた商品展示ケースと、解錠装置とから成る構成において、前記商品展示ケースは、第１ケース構成体と第２ケース構成体をＸ軸方向に向けて嵌脱自在に嵌合することにより商品収納室を形成すると共に、該商品収納室の内側に防犯タグの取付部を設けており、前記施錠機構は、前記Ｘ軸方向に交差するＹ軸方向に臨む施錠部に位置して、第１ケース構成体と第２ケース構成体を嵌合したとき前記Ｙ軸方向に沿って商品展示ケースの外部に向かうＹ１方向と内部に向かうＹ２方向に関して係止する第１施錠手段と第２施錠手段を設けており、前記第１施錠手段は、第１ケース構成体と第２ケース構成体の相互に、前記Ｙ軸方向に揺動自在かつＹ１方向に付勢された係止手段と、該係止手段をＹ１方向から係止させる被係止手段を構成し、前記係止手段は、前記施錠部の外部からＹ２方向の押圧力を受取可能な作動部を備えており、前記第２施錠手段は、第１ケース構成体と第２ケース構成体の相互に、前記Ｙ軸方向に揺動自在かつＹ２方向に付勢された係止手段と、該係止手段をＹ２方向から係止させる被係止手段を構成し、前記係止手段は、前記施錠部の外部から磁石を作用させたとき、該磁石に磁着可能な磁性片を設けており、前記解錠装置は、施錠部をＹ軸方向に進退可能として商品展示ケースをスライド自在に載置させるテーブル部と、前記施錠部に対向する解錠部とを備え、該解錠部は、前記第１施錠手段の作動部に臨む突片と、前記第２施錠手段の磁性片に臨む磁石を設けて成る点にある。
【００１７】
本発明の実施形態において、商品展示ケースは、商品を載置する底部材により第１ケース構成体を構成し、前記商品を透視可能に囲繞すると共に下向き開口部を有する収納室を形成したケース本体により前記第２ケース構成体を構成し、Ｘ軸方向に向けてケース本体の開口部を底部材に嵌合させるように構成されている。前記施錠部は、ケース本体に設けられた内側壁板及び外側壁板と、両壁板の間に形成された嵌入空間と、前記嵌入空間に対してＸ軸方向から嵌脱自在に嵌入されるように底部材に設けられた起立壁板とから構成されており、前記外側壁板と底部材の相互に、前記第１施錠手段の係止手段と被係止手段が設けられ、前記内側壁板と起立壁板の相互に、前記第２施錠手段の係止手段と被係止手段が設けられている。
【００１８】
この際、前記外側壁板は、ケース本体に着脱可能に取付けられており、該外側壁板の内側に防犯タグの取付部を設けている。
【００１９】
商品展示ケースは、ほぼ直方体形状に形成されたケース本体の両側壁に、前記開口部に隣接して開口する溝を該両側壁の肉厚内で切欠状に形成し、該溝に嵌脱自在に嵌入する舌片を底板に設けるのが好ましい。
【００２０】
また、ほぼ直方体形状に形成されたケース本体の正面壁の外側表面に凹部を形成すると共に、背面壁の外側表面に凸部を形成し、複数の商品展示ケースを積層したとき、上層に位置する商品展示ケースの凸部が下層に位置する商品展示ケースの凹部に嵌合するように構成するのが好ましい。
【発明の効果】
【００２１】
本発明によれば、商品Ｍを商品展示ケース１に収納した状態で店頭に展示することにより、顧客は、商品展示ケース１を手にとることにより、該ケース１を透視して商品Ｍを目視することができるので、商品Ｍの陳列展示効果が高い。
【００２２】
この際、商品展示ケース１は、専用の解錠装置３を使用しなければ開蓋できないように施錠機構２により開蓋不能にロックされ、内部に防犯タグ１７を付設しているので、顧客が商品展示ケースを店外に持ち出そうとすると、出入口ゲートに設置された検知装置が警報を発し、盗難を防止する。
【００２３】
特に、本発明の施錠機構２は、第１施錠手段１０と第２施錠手段１１がダブルロックによる施錠ロックを行うので、セキュリティ効果が極めて高い。この際、第１施錠手段１０は、作動部１２にＹ２方向の押圧力を作用させなければ解錠できず、第２施錠手段１１は、磁石によりＹ１方向の引き寄せ力を作用させなければ解錠できない構成とされており、しかも、第１施錠手段１０と第２施錠手段１１が同時に解錠されなければ商品展示ケース１を開蓋することはできないので、盗難経験が豊富な不正者によっても不正に開蓋することは至難となる。
【００２４】
ところで、このようなセキュリティ効果の高いダブルロックを行う施錠機構２でありながら、本発明によれば、第１施錠手段１０と第２施錠手段１１は、第１ケース構成体４と第２ケース構成体７をＸ軸方向に嵌合するだけで、ワンタッチにより簡単容易に同時に施錠ロックされ、しかも、解錠に際しても、解錠装置３のテーブル部３９に商品展示ケース１を載置した状態でＹ１方向にスライド移動するだけで、ワンタッチにより簡単容易にダブルロックを同時に解除することができるので、操作性が極めて高い。
【００２５】
従って、顧客が商品Ｍを購入するため商品展示ケース１をレジカウンターに持参したときは、店員が専用の解錠装置３を使用することにより、極めて迅速に商品展示ケース１の開蓋を行うことができ、しかも、従来のような商品展示ケースから抜きとられる鍵部材のような部品を必要としないので、開蓋後の商品展示ケースの保管にも手間がかからない。
【００２６】
この際、請求項２に記載の本発明によれば、商品展示ケース１の開蓋とほぼ同時に商品Ｍの取り出しを行うことができる実益がある。即ち、店員は、解錠装置３により施錠機構２を解錠すると、底部材４ａからケース本体７ａを離反させる開蓋動作と同時に底部材４ａの上方で商品Ｍが開放されるので、直ちに商品Ｍを手にとり顧客に引き渡し迅速に販売できるので、レジカウンターの混雑解消に貢献できる。
【００２７】
そして、請求項３に記載の本発明によれば、外側壁板１４が着脱自在であり、該外側壁板１４の内側の取付部１８に防犯タグ１７を取付ける構成とされているので、防犯タグ１７の張替えを簡単容易に行うことができる。
【００２８】
更に、請求項４に記載の本発明によれば、複数の商品展示ケース１を積層したとき、上層に位置する商品展示ケース１の凸部２４が下層に位置する商品展示ケース１の凹部２３に嵌合するので、積層状態で安定するという効果があり、しかも、前記凹部２３を着脱自在な別体の外側壁板１４に形成する構成であるから、プラスチック成形の際の離型構造を考慮する必要がなく、成形金型の構造も簡単にできるという利点がある。
【発明を実施するための最良の形態】
【００２９】
以下図面に基づいて本発明の好ましい実施形態を詳述する。
【００３０】
図１に示すように、本発明の盗難防止装置は、施錠機構２を備えた商品展示ケース１と、解錠装置３とから構成されている。
【００３１】
図２に示すように、商品展示ケース１は、商品Ｍを載置する底部材４ａを構成する第１ケース構成体４と、前記商品Ｍを透視可能に囲繞すると共に下向きの開口部５を有する収納室６を形成するケース本体７ａを構成する第２ケース構成体７をＸ軸方向に向けて嵌脱自在に嵌合するように構成されている。収納室６に収納された商品Ｍを外部から透視可能とするため、第１ケース構成体４と第２ケース構成体７の全体を合成樹脂により透明に形成しても良く、或いは、第１ケース構成体４又は第２ケース構成体７を部分的に透明に形成しても良い。図示実施形態の場合、ほぼ平板状に形成された底部材４ａの一端縁と、ほぼ直方体形状に形成されたケース本体７の一端縁を、ヒンジ手段８により枢結し、ほぼ水平に配置した底部材４ａに対してケース本体７が前記Ｘ軸方向から嵌脱自在に嵌合されるように、底部材４ａとケース本体７を矢印Ｒで示すように回動自在に構成している。しかしながら、図示の構成に限られるものではなく、ヒンジ手段８を着脱自在としても良く、更には、ヒンジ式ではなく、底部材４ａとケース本体７を相互に分離可能な入れ子式等により嵌脱自在に嵌合するように構成しても良い。
【００３２】
商品展示ケース１は、前記Ｘ軸方向に交差するＹ軸方向に臨む正面部に施錠部９（図２は開放された第１ケース構成体４の施錠部９ａと第２ケース構成体７の施錠部９ｂを示す）を構成し、該施錠部９には、第１ケース構成体４と第２ケース構成体７を嵌合したとき（図１に示す嵌合状態）、前記Ｙ軸方向に沿って商品展示ケース１の外部に向かうＹ１方向と内部に向かうＹ２方向に関して係止する第１施錠手段１０と第２施錠手段１１が設けられている。
【００３３】
第１施錠手段１０は、第１ケース構成体４と第２ケース構成体７の相互に、前記Ｙ軸方向に揺動自在かつＹ１方向に付勢された係止手段１０ａと、該係止手段１０ａをＹ１方向から係止させる被係止手段１０ｂを構成しており、前記係止手段１０ａは、施錠部９の外部からＹ２方向の押圧力を受取可能とする作動部１２を備えている。
【００３４】
第２施錠手段１１は、第１ケース構成体４と第２ケース構成体７の相互に、前記Ｙ軸方向に揺動自在かつＹ２方向に付勢された係止手段１１ａと、該係止手段１１ａをＹ２方向から係止させる被係止手段１１ｂを構成しており、前記係止手段１１ａは、施錠部９の外部から磁石を作用させたとき、該磁石に磁着可能な磁性片３４ａを設けている。
【００３５】
前記施錠部９は、ケース本体７に設けられた内側壁板１３及び外側壁板１４と、両壁板１３、１４の間に形成された嵌入空間１５と、前記嵌入空間１５に対してＸ軸方向から嵌脱自在に嵌入されるように底部材４ａに設けられた起立壁板１６により構成され、外側壁板１４と底部材４ａの相互に、前記第１施錠手段１０の係止手段１０ａと被係止手段１０ｂを設け、内側壁板１３と起立壁板１６の相互に、前記第２施錠手段１１の係止手段１１ａと被係止手段１１ｂを設けている。
【００３６】
図３ないし図５に示すように、外側壁板１４は、ケース本体７に着脱自在に取付けられるように構成されており、該外側壁板１４の内側に防犯タグ１７の取付部１８を設けている。尚、防犯タグ１７は、粘着剤等により取付部１８に剥離可能に貼着される。
【００３７】
図示実施形態の場合、ケース本体７の正面側の端部には、該ケース本体７ａの両側壁７ｂ、７ｂと天壁７ｃのそれぞれの内側に沿って延びるリブ１９ａ、１９ａ、１９ｂが形成され、該リブから前記嵌入空間１５を形成するように離間した内側の位置に内側壁板１３が固設されている。これに対して、外側壁板１４は、前記リブ１９ａ、１９ａ、１９ｂを摺動自在に嵌合するように３辺に沿って延びる溝２０を形成し、該溝２０を挟んで外側に前記リブ１９ａ、１９ａ、１９ｂの上に重ね合わせられる板壁２１を形成すると共に、内側に前記内側壁板１３に沿って摺動自在に嵌合される枠壁２２を形成している。
【００３８】
この際、板壁２１は、外側表面から前記枠壁２２の近傍まで凹入する凹部２３を形成しており、これに対して、ケース本体７ａの背面壁７ｄの外側表面に凸部２４が形成されている。従って、ケース本体７ａに外側壁板１４を取付けられた商品展示ケース１は、底部材４ａとケース本体７ａを嵌合した状態で、複数の商品展示ケース１、１を積層したとき、上層に位置する商品展示ケース１の凸部２４が下層に位置する商品展示ケース１の凹部２３に嵌合するように構成されている。図例の場合、４個の凸部２４が凹部２３の４隅に嵌合するように構成されている。
【００３９】
外側壁板１４は、枠壁２２の端部に係止爪２５を設けており、内側壁板１３には前記係止爪２５を係脱自在に係止させる係止孔２６が形成されている。前記リブ１９ａ、１９ａ、１９ｂに対して、外側壁板１４の板壁２１を外側に配置すると共に枠壁２２を内側に配置した状態で摺動させると、前記溝２０にリブ１９ａ、１９ａ、１９ｂが嵌入され、完全に嵌入された位置で係止爪２５が係止孔２６に係止し、外側壁板１４を抜取り不能に固定する。外側壁板１４を抜取る必要があるときは、内側壁板１３の内側（収納室６の内部）から針部材等の治具の先端を係止孔２６に挿入することにより係止爪２５を係止孔２６から脱出させれば、外側壁板１４を抜取ることができる。従って、商品展示ケース１を使用する店舗において防犯タグ１７の張替えが可能である。
【００４０】
外側壁板１４を取付けた状態で、内側壁板１３と外側壁板１４の間に形成される嵌入空間１５は、収納室６の開口部５と並んでＸ軸方向に開口しており、従って、ケース本体７ａ（第２ケース構成体７）と底部材４ａ（第１ケース構成体４）を相互に嵌合させると、同時に、前記起立壁板１６が嵌入空間１５に嵌入され、第１施錠手段１０と第２施錠手段１１による施錠ロックを同時に行うように構成されている。
【００４１】
第１施錠手段１０は、係止手段１０ａを外側壁板１４に設けている。図５に示すように、嵌入空間１５の開口に臨む板壁２１の縁部には切欠状の開口部２７が形成されている。係止手段１０ａは、該開口部２７に配置された作動部１２から内側に延びる脚部２８、２８を介して両側方に係止部２９、２９を延設し、該係止部２９、２９を揺動アーム３０、３０により揺動自在に形成している。係止部２９と板壁２１の間には挿入空間２９ａが形成されており、前記揺動アーム３０、３０は該挿入空間２９ａを狭める方向（上記のＹ１方向）に係止部２９、２９を弾発付勢する。換言すれば、図５（Ｃ）に示すように、外側壁板１４の外部から作動部１２を開口部２７の内部に向かう方向（上記のＹ２方向）に押圧力Ｐを与えると、揺動アーム３０、３０が揺動することにより前記挿入空間２９ａを広げるが、押圧力Ｐを解除すると、揺動アーム３０、３０の弾発復元力により再び挿入空間２９ａが狭められる。
【００４２】
これに対して、第１施錠手段１０の被係止手段１０ｂは、図６に示すように、底部材４ａの端部から起立壁板１６に隣接して突出する一対のフック片３１、３１により構成されている。底部材４ａとケース本体７ａを相互に嵌合する際、フック片３１、３１は、前記挿入空間２９ａ、３１に挿入されつつ該挿入空間２９ａを押し広げるガイドテーパ面を有すると共に、完全に挿入された状態で揺動アーム３０が復元することにより挿入空間２９ａが狭められたとき係止部２９に係止するフック部３２を備えている。
【００４３】
従って、第１施錠手段１０は、底部材４ａとケース本体７ａを相互に嵌合するワンタッチの動作でフック部３２が係止部２９に係止し、底部材４ａとケース本体７ａを離反不能に施錠ロックする。そして、作動部１２に押圧力Ｐを与えると、前記施錠ロックが解除され、底部材４ａとケース本体７ａを離反可能とする。
【００４４】
尚、図示実施形態において、第１施錠手段１０は、係止手段１０ａを外側壁板１４に設け、被係止手段１０ｂを底部材４ａに設けているが、相互に反対側に設けた構成としても良い。また、一対の係止部２９、２９に一対のフック片３１、３１が係止する構成を図示したが、その個数は問わない。
【００４５】
第２施錠手段１１は、平行に配置された３個の係止手段１１ａを起立壁板１６に設けている。図６及び図７に示すように、係止手段１１ａは、起立壁板１６の起立端側から下向きにほぼコ字形の切欠溝３３を形成することにより、該切欠溝３３で囲まれた揺動片３４を形成し、該揺動片３４の自由端側で内側（収納室６の方向）に向けて突出する爪部３５を形成しており、更に、該爪部３５の反対側（収納室６に向かう方向と反対方向）に鉄片等の磁性片３４ａを設けている。揺動片３４は、切欠溝３３から爪部３５を突出する方向（上記のＹ２方向）に弾発付勢されており、反対側（ケースの外部）から磁石を臨ませると、図６に鎖線で示すように、爪部３５を切欠溝３３に没入する方向（上記のＹ１方向）に揺動する。
【００４６】
これに対して、被係止手段１１ｂは、図３に示すように、内側壁板１３に形成された３個の係止窓孔３６により構成されている。底部材４ａとケース本体７ａを相互に嵌合する際、起立壁板１６が嵌入空間１５に挿入され、爪部３５は、内側壁板１３の端縁に当接することにより揺動片３４を弾力に抗して揺動させるガイドテーパ面を備えると共に、完全に挿入された状態で揺動片３４が復元することにより係止窓孔３６に係止する爪形状を有している。
【００４７】
従って、第２施錠手段１１は、底部材４ａとケース本体７ａを相互に嵌合するワンタッチの動作で爪部３５が係止窓孔３６に係止し、底部材４ａとケース本体７ａを離反不能に施錠ロックする。そして、外部から磁石を臨ませると、前記施錠ロックが解除され、底部材４ａとケース本体７ａを離反可能とする。
【００４８】
尚、図示実施形態において、第２施錠手段１１は、係止手段１１ａを起立壁板１６に設け、被係止手段１１ｂを内側壁板１３に設けているが、相互に反対側に設けた構成としても良い。また、３個の係止窓孔３６に３個の爪部３５が係止する構成を図示したが、その個数は問わない。
【００４９】
図２及び図３に示すように、底部材４ａは、両側縁に沿って嵌合壁４ｂ、４ｂを立設しており、該嵌合壁４ｂ、４ｂをケース本体７ａの両側壁７ｂ、７ｂの内側に嵌入するように構成されている。このような嵌合構成に加えて、ケース本体７ａの両側壁７ｂ、７ｂは、収納室６の開口部５に隣接して開口する溝３７ａ、３７ａを該両側壁７ｂ、７ｂの肉厚内で切欠状に形成しており、これに対して、底部材４ａは、前記溝３７ａ、３７ａに係脱自在に嵌入する舌片３７ｂ、３７ｂを設けている。従って、底部材４ａとケース本体７ａを相互に嵌合した状態で、不正者が開口部５の隙間から異物を挿入することにより両側壁７ｂ、７ｂを広げようとしても、舌片３７ｂが溝３７ａに嵌入しているので側壁７ｂが広がるように変形することはない。
【００５０】
更に、図例の実施形態において、底部材４ａは、嵌合壁４ｂ、４ｂの内側から突出する突起片３８を設けている。これにより、商品説明を記載したリーフレットやカード等の薄い情報体を底部材４ａの上に載せると共に、該情報体の縁を突起片３８の下面に嵌入することにより固定可能となる。尚、この場合、商品Ｍは情報体の上に載置されることになる。
【００５１】
解錠装置３は、図１（Ｃ）に示すように、商品展示ケース１をスライド自在に載置させるテーブル部３９と、該テーブル部３９の一端から起立する解錠部４０を備えており、該解錠部４０には、テーブル部３９に向けて突出する突片４１が設けられると共に、永久磁石４２が埋設されている。
【００５２】
本発明の作用に関して、図６のＡ−Ａ線に相当する部分の断面を図８に示している。図８（Ａ）は第１施錠手段１０と第２施錠手段１１が施錠ロックされた状態を示し、図８（Ｂ）は解錠された状態を示している。
【００５３】
図８（Ａ）に示すように、第１施錠手段１０は、外側壁板１４に設けた係止手段１０ａの係止部２９をＹ１方向に付勢することにより、該係止部２９を底部材４ａに設けた被係止手段１０ｂのフック部３２に係止し、これによりケース本体７ａが底部材４ａからＸ１方向に離反しないように施錠ロックしている。また、第２施錠手段１１は、起立壁板１６に設けた係止手段１１ａの爪部３５をＹ２方向に付勢することにより、該爪部３５を内側壁板１３に設けた被係止手段１１ｂの係止窓孔３６に係止し、これによりケース本体７ａが底部材４ａからＸ１方向に離反しないように施錠ロックしている。
【００５４】
図８（Ｂ）に示すように、第１施錠手段１０は、係止手段１０ａの作動部１２をＹ２方向に押し込むと、挿入空間２９ａが広げられ、係止部２９をフック部３２から後退させることにより施錠ロックを解除する。また、第２施錠手段１１は、係止手段１１ａの磁性片３４ａに磁石を臨ませると、揺動片３４がＹ１方向に揺動され、爪部３５を係止窓孔３６から後退させることにより施錠ロックを解除する。従って、第１施錠手段１０と第２施錠手段１１の施錠ロックが何れも解除されると、ケース本体７ａは、底部材４ａからＸ１方向に離反することが可能となる。
【００５５】
図９は、底部材４ａにケース本体７ａを被冠させたときの第１施錠手段１０と第２施錠手段１１の作動状態を示しており、図１０は、第１施錠手段１０と第２施錠手段１１が施錠ロックされた状態を示している。底部材４ａに商品Ｍを載置した状態から、ケース本体７ａをＸ２方向に移動して被冠させると（図示実施形態の場合、ヒンジ手段８を支点としてケース本体７ａを底部材４ａに向けて回動すると）、起立壁板１６が嵌入空間１５に挿入され、第１施錠手段１０と第２施錠手段１１がワンタッチで同時に施錠ロックされる。
【００５６】
第１施錠手段１０は、図９に示すように、被係止手段１０ｂのフック部３２が係止手段１０ａの挿入空間２９ａに挿入されると、該フック部３２のガイドテーパ面３２ａに沿って係止部２９が移動し、これにより、フック部３２が挿入空間２９ａに挿入されることを許す。フック部３２が挿入空間２９ａに完全に挿入されると、図１０に示すように、係止部２９が元の位置に戻り、フック部３２の係止縁３２ｂに係止される。
【００５７】
第２施錠手段１１は、図９に示すように、起立壁板１６が嵌入空間１５に挿入されると、爪部３５のガイドテーパ面３５ａが内側壁板１３の端縁に当接されることにより、該爪部３５を内側壁板１３から後退させるように揺動片３４を揺動させ、これにより起立壁板１６が嵌入空間１５に挿入されることを許す。起立壁板１６が嵌入空間１５に完全に挿入されると、図１０に示すように、揺動片３４が復元することにより爪部３５を元の位置に戻し、該爪部３５の係止縁３５ｂを係止窓孔３６に挿入係止する。
【００５８】
図１１は、解錠装置３により施錠ロック状態を解除する際の作用を示している。解錠装置３のテーブル部３９に底部材４ａを載置した状態で、Ｙ１方向にスライド移動すると、外側壁板１４が解錠部４０に対面するように配置する。この配置の位置決めを容易とするため、図１に示すように、商品展示ケース１（図例では外側壁板１４の表面）と解錠装置３（図例では解錠部４０の上面）には、それぞれ位置合わせ用のマーク４３、４４が表示されている。尚、スライド移動を容易にすると共に、スライド移動により底部材４ａの下面に傷がつかないようにする目的で、底部材４ａの下面（例えば下面の４隅）に小突起４５が突設されている。
【００５９】
上述の配置状態となるように位置決めした後、図１１に示すように、商品展示ケース１をテーブル部３９の上でＹ１方向にスライド移動すると、突片４１が作動部１２に臨み、磁石４２が磁性片３４ａに臨む。
【００６０】
外側壁板１４が解錠部４０に接近するように商品展示ケース１をＹ１方向にスライド移動すると、突片４１により作動部１２がＹ２方向に押し込まれ、係止部２９をフック部３２から離脱させるので、第１施錠手段１０の施錠ロックが解除される。また、磁石４２に磁性片３４ａが引き寄せられることにより、揺動片３４を揺動させ爪部３５を係止窓孔３６から離脱させるので、第２施錠手段１１の施錠ロックが解錠される。従って、この位置に商品展示ケース１を停止させた状態で、ケース本体７ａをＸ１方向に引き上げれば、商品Ｍを載置した底部材４ａの上方空間が開放される。  このように、底部材４ａをテーブル部３９に載せ、商品展示ケース１をＹ１方向にスライド移動させるだけで商品展示ケース１を開蓋することができ、しかも、開蓋により商品Ｍが開放されるので、直ちに底部材４ａの上の商品Ｍを手にとることができる。
【００６１】
本発明の第１施錠手段１０と第２施錠手段１１によりワンタッチでのダブルロックを可能とした施錠機構２と、ダブルロックをワンタッチで同時に解除可能とした解錠装置３とにより構成された盗難防止装置は、図示実施形態のような直方体形状の商品展示ケース１に限らず、ＤＶＤ又はＣＤ等のディスク収納ケースや、その他のケース等、商品を収納した状態で展示される種々の商品展示ケースに広く利用可能である。
【図面の簡単な説明】
【００６２】
【図１】本発明の実施形態を示しており、（Ａ）は施錠ロックされた状態の商品展示ケースを正面側から示す斜視図、（Ｂ）は前記商品展示ケースを背面側から示す斜視図、（Ｃ）は解錠装置を示す斜視図である。
【図２】商品展示ケースを開蓋した状態で示す斜視図である。
【図３】商品展示ケースを開蓋すると共に外側壁板を分離した状態で示す斜視図である。
【図４】ケース本体に対する外側壁板の着脱自在な取付構造を示す斜視図である。
【図５】外側壁板を示しており、（Ａ）は外側壁板の外側を示す斜視図、（Ｂ）は外側壁板の内側を示す斜視図、（Ｃ）は外側壁板に設けられた第１施錠手段の係止手段の作用を内側から示す斜視図である。
【図６】底部材を正面側から示す斜視図である。
【図７】底部材を背面側から示す斜視図である。
【図８】第１施錠手段と第２施錠手段の作用を示しており、（Ａ）はダブルロックによる施錠ロック状態を示す断面図、（Ｂ）は施錠ロックが解除された状態を示す断面図である。
【図９】底部材にケース本体を被冠することにより閉蓋するときの第１施錠手段と第２施錠手段の作用を示す断面図である。
【図１０】底部材にケース本体を被冠し閉蓋した状態における第１施錠手段と第２施錠手段のダブルロックによる施錠ロック状態を示す断面図である。
【図１１】解錠装置により第１施錠手段と第２施錠手段のダブルロックを解除するときの作用を示す断面図である。
【符号の説明】
【００６３】
１  商品展示ケース
２  施錠機構
３  解錠装置
４  第１ケース構成体
４ａ  底部材
５  開口部
６  収納室
７  第２ケース構成体
７ａ  ケース本体
９  施錠部
１０  第１施錠手段
１０ａ  係止手段
１０ｂ  被係止手段
１１  第２施錠手段
１１ａ  係止手段
１１ｂ  被係止手段
１２  作動部
１３  内側壁板
１４  外側壁板
１５  嵌入空間
１６  起立壁板
１７  防犯タグ
１８  取付部
１９  リブ
２０  溝
２１  板壁
２２  枠壁
２３  凹部
２４  凸部
２５  係止爪
２６  係止孔
２７  切欠状開口部
２９  係止部
２９ａ  挿入空間
３０  揺動アーム
３１  フック片
３２  フック部
３４  揺動片
３５  爪部
３６  係止窓孔
３７ａ  溝
３７ｂ  舌片
３９  テーブル部
４０  解錠部
４１  突片
４２  磁石
【図１】
0004623751.tif 000002
【図２】
0004623751.tif 000003
【図３】
0004623751.tif 000004
【図４】
0004623751.tif 000005
【図５】
0004623751.tif 000006
【図６】
0004623751.tif 000007
【図７】
0004623751.tif 000008
【図８】
0004623751.tif 000009
【図９】
0004623751.tif 000010
【図１０】
0004623751.tif 000011
【図１１】
0004623751.tif 000012